(57)【要約】【課題】構造が簡単で、生産コストは低く、組み立ては便利で、安全性に優れるなどの長所がある事務椅子を提供する。【解決手段】連結パーツの横向部分を直接クッションの固定連接させる方式を採用することで、構造を簡素化し、組み立ては非常に便利で、生産コストも減低させている。このほかに、連結パーツの横向部分とクッション連接の強度を向上させ、椅子の安定性を増している。【選択図】図2
0003136198.tif 000002
【実用新案登録請求の範囲】
【請求項１】
背もたれ、クッション、支えフレーム、“L”型連結パーツを包括し、
そのうち連結パーツの縦向部分と横向部分はそれぞれ背もたれおよびクッションと連なり、支えフレームの中部には気圧バルブが設けられ、当該気圧バルブと一つの取っ手を配合し、クッションの昇降を実現しており、その特徴は次の通り：連結パーツの縦向部分と横向部分はそれぞれ背もたれの後端と座部の底面に固定され、このほかに連結パーツの横向部分上はクッション中部の位置に気圧バルブの頂上部と配合する固定孔を配したことを特徴とする事務椅子。
【請求項２】
前記連結パーツの縦向部分と横向部分でそれぞれネジくぎで直接背もたれとクッションを固定したことを特徴とする請求項１に記載の事務椅子。
【請求項３】
前記連結パーツの横向部分の幅をクッション幅の1/3〜1/4とし、長さをクッション長さの2/3としたことを特徴とする請求項２に記載の事務椅子。
【請求項４】
前記連結パーツの金属材質で、気圧バルブの頂上部で直接固定孔内に挿入したことを特徴とする請求項３に記載の事務椅子。
【請求項５】
前記連結パーツを木質材料とし、その固定孔内に強化ワッシャーを配し、気圧バルブの頂上部を強化ワッシャーのパイプ内に挿入したことを特徴とする請求項３に記載の事務椅子。
【請求項６】
気圧バルブの外壁に連接孔が配され、取っ手前端に從連接孔箇所に気圧バルブ内と気圧バルブ内部の活動バーが配合されていることを特徴とする請求項１ないし請求項５のいずれかに記載の事務椅子。
【考案の詳細な説明】
【技術分野】
【０００１】
本発明は事務家具の技術領域に及ぶもので、特に一種のクッションの昇降可能な事務椅子にある。
【背景技術】
【０００２】
事務椅子の中でも特に高さの調整が可能な事務椅子は、現在もっとも広範に応用されている事務設備の一で、その高さを調整できることから、人々の異なるニーズに即して椅子の位置を調整できるため人気を集めている。
【０００３】
また、現在のこの種の事務椅子について、その其構造は図1の示すとおりで、これには背もたれ01、クッション02、支えフレーム03、“L”型連結パーツ04が包括され、支えフレーム03の外縁は数多くの車輪の支えフレームが設けられており、支えフレーム03の中部には気圧バルブ05が設けられ、座部02の底には“U”型底盤06が固定され、連結パーツ04の縦向部分041と背もたれ01は固定され、横向部分042の前端には細長いバーパーツ043が設けられ、当該の細長いバーパーツ043はネジくぎで底盤06上に固定され、底盤06の底部は気圧バルブ05の頂上部と配合した穿孔が配され、取っ手07の前端は底盤06の側面を通過し、気圧バルブ05の活動バー08と配合する。
【０００４】
この種の構造の事務椅子はクッション02の高さを調整できるが、その存在の構造は比較的複雑で、生産コストが比較的高く、消費者には取り付けで不便という問題がある。このほかに、連結パーツ04と横向部分042は細長いバーパーツ043および底盤06とクッション02と繋がり、その強度は不足しており、消費者が背もたれ01にもたれかかり、前後に揺れ動く時、連結パーツ04と底盤06の繋がる細長いバーパーツ043は折れやすく、椅子が使用できなくなるばかりか、甚だしい場合はユーザーが負傷することもある。
【考案の開示】
【考案が解決しようとする課題】
【０００５】
本発明の目的は、現有の技術に不足に対して、構造を改良した事務椅子を提供するもので、その構造は簡単で、生産コストは低く、組み立ては便利で、安全性に優れるなどの長所がある。
【０００６】
本発明では連結パーツの横向部分を直接クッションの固定連接させる方式を採用、構造を簡素化し、組み立ては非常に便利で、生産コストも減低させている。このほかに、連結パーツの横向部分とクッション連接の強度を向上させ、椅子の安定性を増している。
【実施例】
【０００７】
以下で述べるところは、本発明の比較的良好な実施例であり、本発明の保護範囲を限定するものではない。
【０００８】
付図2、3の示すものは、本発明が包括するものである：背もたれ10、クッション20、支えフレーム30、連結パーツ40、支えフレーム30の中部固定は気圧バルブ50を有する。
【０００９】
連結パーツ40は“L”型で、その縦向部分41と横向部分42はそれぞれ多くのネジ孔401が設けられ、ネジ孔401を通じて連結パーツ40の縦向部分41と背もたれ10後端に直接固定され、横向部分42はクッション20底面に直接固定する。連結パーツ40の強度を保障するため、連結パーツ40の横向部分42の幅はクッション20幅の1/3から1/4とし、受力面積を増加し、連結パーツ40の横向部分42の長さはクッション20の長さの2/3とする。
【００１０】
連結パーツ40は一体成型されており、その縦向部分41と横向部分42はそれぞれ背もたれ10、クッション20に固定して連接され、背もたれ10、クッション20を一体に構成しているが、この種の固定連接方式は非常に安定しており安定、消費者が背もたれに靠れて10前後に動かしても、連結パーツ40とクッション20の安定した連接を保証し、本発明の安全性を向上させている。
【００１１】
連結パーツ40の横向部分42はクッション20中部の位置しており、固定孔421を設けて、気圧バルブ50の頂上部と当該の固定孔421を配合させている。
【００１２】
気圧バルブ50は連結パーツ40とクッション20を支え、連結パーツ40、クッション20は気圧バルブ50とともに上下に移動する。固定孔421は通孔でき、しかも当該孔の形状は気圧バルブ50も頂上部の形状とマッチしており、気圧バルブ50の固定を助ける。
【００１３】
連結パーツ40は金属材料あるいは木制材料を採用でき、もし木制材料を採用した場合、連結パーツ40の横向部分42上の固定孔421内に強化ワッシャー43をはめ込むことができ、強化ワッシャー43の形状と気圧バルブ50の頂上部の形状はマッチしており、組み立てる時、気圧バルブ50の頂上部を強化ワッシャー43のパイプに組み込み、固定孔421の気圧バルブ50頂上部に対する承受力を強化する。
【００１４】
気圧バルブ50をよりよく連結パーツ40およびクッション20に配合させるため、本発明は気圧バルブ50の構造は以下のように改める：気圧バルブ50の外壁上に連接孔を開設し、取っ手51の前端を連接孔内に挿入し、気圧バルブ50内部の活動バーと配合させる。
【００１５】
転動取っ手51を通じて、その気圧バルブ50内部の活動バーを押せば、クッション20の上、下移動を制御できる。
【図面の簡単な説明】
【００１６】
【図１】従来の事務椅子の構造の説明図。
【図２】本発明の構造の第１の説明図。
【図３】本発明の構造の第２の説明図。
【符号の説明】
【００１７】
（現行の技術）
０１    背もたれ
０２    クッション
０３    支えフレーム
０４    Ｌ型連結パーツ
０５    気圧バルブ
０６    Ｕ型底盤
０７    取って
０８    活動バー
０４１  縦向部分
０４２  横向部分
０４３  長いバーパーツ
０５１  穿孔
（新行技術）
１０    背もたれ
２０    クッション
３０    支えフレーム
４０    Ｌ型連結パーツ
４１    Ｌ型連結パーツの縦向部分
４２    Ｌ型連結パーツの横向部分
４３    強化ワッシャー
５０    気圧バルブ
５１    取って
４０１  ねじ孔
４２１  固定孔
【図１】
0003136198.tif 000003
【図２】
0003136198.tif 000004
【図３】
0003136198.tif 000005